(57)【要約】      （修正有）【課題】炎天下での運動時や作業時において流れ出る汗を効率的に吸収することができると共に、汗の飛散防止機能並びに日除け機能を併せ持つ頭部装着具用汗吸収日除けパッドを提供する。【解決手段】頭部装着具用汗吸収日除けパッド１０は、帽子等の頭部装着具の内側に装着される汗吸収パッドであって、高分子吸水ポリマーから成る汗吸着材２０を表層シート体２１で包含して縦に後頭部から頸部まで並びに横に一方の耳介の裏側から他方の耳介の裏側までを覆う所要の長さ・幅を有する略方形のパッド本体１１に成形して成り、該パッド本体１１には頭部装着具への装着手段２２が備えられると共に、該パッド本体１１の裏面所定箇所には頭部装着具に対する装着位置を決定するための一乃至複数の位置決め表記２３が付される。【選択図】図１
0003218311.tif 000002
【実用新案登録請求の範囲】
【請求項１】
帽子やヘルメット等の頭部装着具の内側に装着される汗吸収日除けパッドであって、
前記汗吸収日除けパッドは、高分子吸水ポリマーから成る汗吸着材を表層シート体で包含して縦に後頭部から頸部まで並びに横に一方の耳介の裏側から他方の耳介の裏側までを覆う所要の長さ・幅を有する略方形のパッド本体に成形して成り、
該パッド本体には前記頭部装着具への装着手段が備えられると共に、該パッド本体の裏面所定箇所には前記頭部装着具に対する装着位置を決定するための一乃至複数の位置決め表記が付されて成ることを特徴とする頭部装着具用汗吸収日除けパッド。
【請求項２】
前記装着手段は、帯状の粘着テープであってパッド本体の表面に備えられると共に、該パッド本体の表層シート体と装着手段との間に樹脂フィルムが介在されて成ることを特徴とする請求項１に記載の頭部装着具用汗吸収日除けパッド。
【請求項３】
前記パッド本体における表層シート体あるいは汗吸着材のいずれか一方若しくは両方に、清涼感を付与するメントールを主成分とする清涼成分が塗布あるいは含浸されて成ることを特徴とする請求項１または請求項２に記載の頭部装着具用汗吸収日除けパッド。
【請求項４】
前記清涼成分と共に香料が塗布あるいは含浸されて成ることを特徴とする請求項３に記載の頭部装着具用汗吸収日除けパッド。
【請求項５】
前記パッド本体における表層シート体に、銀ナノ粒子を担持させて成ることを特徴とする請求項１乃至請求項４のいずれか記載の頭部装着具用汗吸収日除けパッド。
【請求項６】
前記位置決め表記は、少なくとも前記パッド本体の幅方向略中央箇所に付されて成ることを特徴とする請求項１乃至請求項５のいずれか記載の頭部装着具用汗吸収日除けパッド。
【請求項７】
前記パッド本体の裏面に、エンボス加工が施されて成ることを特徴とする請求項１乃至請求項６のいずれか記載の頭部装着具用汗吸収日除けパッド。
【請求項８】
前記パッド本体における表面の表層シート体が、銀色シート、白色シート、黒色シート、迷彩柄シートから選択される何れかにより成形されて成ることを特徴とする請求項１乃至請求項７のいずれか記載の頭部装着具用汗吸収日除けパッド。
【考案の詳細な説明】
【技術分野】
【０００１】
本考案は、帽子やヘルメットなどといった頭部に装着されるものに取り付けられ、人体の後頭部から出る汗を吸収すると共に、首筋の汗の飛散と日焼けを防止する汗吸収日除けパッドに関するものである。
【背景技術】
【０００２】
夏場や高温の作業場などにおいて、人は頭部や首筋から多くの汗を発汗する。この人間における発汗作用は、汗が蒸発するときの気化熱により人体の体温を下げるための必要な生理現象であって、発汗自体を防ぐことは熱中症の発症など人体に悪影響を及ぼすため、決して好ましいことではない。しかしながら、汗を放置すると、その湿気により細菌の増殖を招いて独特の臭気を伴うこととなり、特に帽子やヘルメットを被っているときには、頭部の汗が帽子やヘルメットと頭皮の間の略密閉空間にこもって容易に気化しないことから、経時的に臭気が増加していくと共に、帽子やヘルメットの中が湿って不快感を伴う状態となっていた。
【０００３】
このような吹き出た汗による不快感を防御すべく、帽子やヘルメットといった頭部装着具の内側に装着され、該頭部装着具を被った人の額から吹き出る汗を拭い取る汗吸収用のパッドが、従来から多く提案されている。
【０００４】
上記提案として、例えば、ヘルメットを着用して作業などを行うことにより噴き出した汗をその場で吸収することができて、汗が顔を流れ落ちる不快感を解消し、又、タオルなどで拭き取るという手間を省くことができる「ヘルメット用汗取パッド」（特許文献１参照）が提案され、公知技術となっている。具体的には、粘着剤層をパッド本体の片面に設けて、ヘルメットの帽体の中に緩衝用などとして装着された内装部材の内側で、額などと直に接触する箇所に上記の粘着剤によって止着可能な大きさに形成される構造となっている。
【０００５】
しかしながら、かかる「ヘルメット用汗取パッド」の提案は、汗が顔を流れ落ちる不快感を解消し、タオルなどで拭き取るという手間を省くことができる機能ならびに汗の臭いを消臭する機能を有するヘルメット用の汗取パッドであるが、ヘルメットと額の間に大きく空間が存することによって、ヘルメットに当該汗取パッドを安定的に固定し装着することが難しい、といった問題があった。
【０００６】
また、流れ出る汗を効率的に吸収するだけでなく、多孔質体層内部での気化熱により額の熱を奪うことにより、熱中症対策としても使用できる「熱吸収パッド付帽子」（特許文献２参照）が提案され、公知技術となっている。具体的には、不織布、多孔質体層および粘着層からなり、かつ多孔質体層が不織布と粘着層とに挟持されてなる熱吸収パッドを備えた帽子である。
【０００７】
しかしながら、かかる「熱吸収パッド付帽子」の提案は、熱吸収パッドが、粘着層を介して帽子前面の内面下部に貼付される構造であることから、汗吸収機能及び熱吸収機能を有する帽子の提案に留まるものであって、交換容易性に欠けると共に、帽子に対する装着位置が容易に定まらない、といった問題があった。
【０００８】
さらに、冷却効果が比較的長時間持続し、且つ、屋外でも手軽に再使用できることに加え、外見上及び作業安全上も好適な形態である「冷却用帽体」（特許文献３参照）が提案され、公知技術となっている。具体的には、メッシュ状の表地と防水性裏地との間に吸水性を有する高分子繊維からなる不織布を封入した三層布を主材とし、周長調節手段を備え、メッシュ状の表地及び防水性裏地のうち、少くとも一方が紫外線カット加工を施したもの、又は高分子ポリマーに紫外線を吸収し、太陽熱線を反射する効果を有する無機質を含有させた繊維からなる編織物であって、上記不織布を構成する繊維体中に抗菌剤を混入し、更には前記三層布に多数の通気孔を開口した構造となっている。
【０００９】
しかしながら、かかる「冷却用帽体」の提案は、汗吸収機能及び熱吸収機能を有する帽子の提案に留まるものであって、交換容易性に欠けると共に、帽子に対する装着位置が容易に定まらないと共に、首筋の日焼け防止が図れない、といった問題があった。
【００１０】
他方、炎天下のスポーツ応援観戦時または競技中、人の後頭部や後ろ首筋を直射日光の照り付け熱から守るため着用して、吸水材料を内蔵して気化熱を利用し、着用者の後頭部や後ろ首筋を長時間ヒンヤリ涼しく保つことができる「ずきん」（特許文献４参照）が提案され、公知技術となっている。具体的には、人の後頭部及び後ろ首筋を直射日光の熱から守る為の日除カバー部と、頭部に縛って固定する為のバンド部に、吸水ポリマー等の吸水材料を内蔵・含有させた構成となっている。
【００１１】
しかしながら、かかる「ずきん」の提案は、汗吸収機能及び熱吸収機能と日除カバー機能を有する帽子の提案に留まるものであって、交換の容易性に欠けると共に、帽子に対する装着位置が容易に定まらない、といった問題があるものであった。
【００１２】
本出願人は、以上のような従来から提案されている頭部装着具用の汗吸収パッドにおいて、装着時の安定感及び装着容易性が図られていない点に着目し、交換が容易であると共に装着時の安定感が常時得られる機能を有すると共に、汗の飛散防止機能と、日除カバー機能を有する汗吸収パッドを開発し、本考案にかかる「頭部装着具用汗吸収日除けパッド」の提案に至るものである。
【先行技術文献】
【特許文献】
【００１３】
【特許文献１】実用新案登録第３０２５９３４号公報
【特許文献２】実用新案登録第３１３０４７２号公報
【特許文献３】実用新案登録第３０１０１５６号公報
【特許文献４】特開平９−１７０１０８号公報
【考案の概要】
【考案が解決しようとする課題】
【００１４】
本考案は、上記事情に鑑み、炎天下における運動時や作業時において、流れ出る汗を効率的に吸収することができると共に、交換容易性・装着容易性・装着安定性が常時得られる機能を有すると共に、汗の飛散防止機能及び日除け機能を有する頭部装着具用汗吸収日除けパッドを提供することを課題とするものである。
【課題を解決するための手段】
【００１５】
上記課題を解決するため、本考案は、  帽子やヘルメット等の頭部装着具の内側に装着される汗吸収日除けパッドであって、高分子吸水ポリマーから成る汗吸着材を表層シート体で包含して縦に後頭部から頸部まで並びに横に一方の耳介の裏側から他方の耳介の裏側までを覆う所要の長さ・幅を有する略方形のパッド本体に成形して成り、該パッド本体には頭部装着具への装着手段が備えられると共に、該パッド本体の裏面所定箇所には頭部装着具に対する装着位置を決定するための一乃至複数の位置決め表記が付されて成る手段を採る。
【００１６】
また、本考案は、前記装着手段は、帯状の粘着テープであってパッド本体の表面に備えられると共に、該パッド本体の表層シート体と装着手段との間に樹脂フィルムが介在されて成る手段を採る。
【００１７】
さらに、本考案は、前記パッド本体における表層シート体あるいは汗吸着材のいずれか一方若しくは両方に、清涼感を付与するメントールを主成分とする清涼成分が塗布あるいは含浸されて成る手段を採る。
【００１８】
またさらに、本考案は、前記清涼成分と共に香料が塗布あるいは含浸されて成る手段を採る。
【００１９】
さらにまた、本考案は、前記パッド本体における表層シート体に、銀ナノ粒子を担持させて成る手段を採る。
【００２０】
そしてまた、本考案は、前記位置決め表記が、少なくとも前記パッド本体の幅方向略中央箇所に付されて成る手段を採る。
【００２１】
そしてさらに、本考案は、前記パッド本体の裏面に、エンボス加工が施されて成る手段を採る。
【００２２】
さらにまた、本考案は、前記パッド本体における表面の表層シート体が、銀色シート、白色シート、黒色シート、迷彩柄シートから選択される何れかにより成形されて成る手段を採る。
【考案の効果】
【００２３】
本考案にかかる頭部装着具用汗吸収日除けパッドによれば、流れ出る汗を効率的に吸収するだけでなく、どのような帽子やヘルメットなどの頭部装着具にも容易に取り付け取り外しができ、頭部装着具の内側にワンタッチで貼着することができる、といった優れた効果を奏する。
【００２４】
また、本考案にかかる頭部装着具用汗吸収日除けパッドによれば、炎天下のスポーツ応援観戦時、または競技中において、人の後頭部や頸部の汗の飛散と日焼けを防止することができると共に、パッド本体に吸水材料を内蔵することで、その気化熱を利用して、着用者の後頭部並びに頸部を長時間ヒンヤリ涼しく保つことができる、といった優れた効果を奏する。
【００２５】
さらに、本考案にかかる頭部装着具用汗吸収日除けパッドによれば、高分子吸水ポリマーから成る汗吸着材を表層シート体で包含して、縦に後頭部から頸部まで、横に一方の耳介の裏側から他方の耳介の裏側までを覆う所要の長さ・幅を有する略方形のパッド本体に成形して成ることによって、装着時における頸部（首筋）の日焼け防止を図ることができる、といった優れた効果を奏する。
【００２６】
さらにまた、本考案にかかる頭部装着具用汗吸収日除けパッドによれば、パッド本体の表面であって表層シート体と粘着テープから成る装着手段との間に樹脂フィルムを介在させることで、汗による装着手段の装着力（粘着力）の低下を防止することができると共に、吸収した汗が頭部装着具に染み出るのを防止し、さらにパッド本体を頭部装着具から外す際に、汗の吸収により強度の弱まった表層シート体の破損を防ぐことができる、といった優れた効果を奏する。
【００２７】
またさらに、本考案にかかる頭部装着具用汗吸収日除けパッドによれば、パッド本体における表層シート体あるいは汗吸着材のいずれか一方若しくは両方に、清涼感を付与するメントールを主成分とし、必要に応じてエリスリトールまたはキシリトール等の多糖類を組み合わせた清涼成分が塗布あるいは含浸されることによって、着用時には常時清涼感が得られると共に、冷感作用ならびに吸熱作用が得られる、といった優れた効果を奏する。
【００２８】
そしてまた、本考案にかかる頭部装着具用汗吸収日除けパッドによれば、清涼成分と共に香料が塗布あるいは含浸されることによって、清涼感や冷感作用、吸熱作用と併せて、汗の臭いを香料でかき消すこともできる、といった優れた効果を奏する。
【００２９】
そしてまた、本考案にかかる頭部装着具用汗吸収日除けパッドによれば、パッド本体における表層シート体に、銀ナノ粒子を担持させることによって、抗菌作用ならびに消臭作用が得られる、といった優れた効果を奏する。
【００３０】
そしてまた、本考案にかかる頭部装着具用汗吸収日除けパッドによれば、位置決め表記が付されていることによって、取り付け位置について正確を期すことができると共に、容易に装着することができる、といった優れた効果を奏する。
【００３１】
そしてまた、本考案にかかる頭部装着具用汗吸収日除けパッドによれば、装着手段として粘着テープを使用することによって、帽子等の頭部装着具にワンタッチで容易且つ安定的に装着できる、といった優れた効果を奏する。
【図面の簡単な説明】
【００３２】
【図１】本考案にかかる頭部装着具用汗吸収日除けパッドの実施形態を示す説明図である。（実施例１）
【図２】本考案にかかる頭部装着具用汗吸収日除けパッドの使用態様を示す説明図である。
【図３】本考案にかかる頭部装着具用汗吸収日除けパッドの他の実施形態を示す説明図である。（実施例２）
【図４】本考案にかかる頭部装着具用汗吸収日除けパッドの他の実施形態を示す説明図である。（実施例４）
【図５】本考案にかかる頭部装着具用汗吸収日除けパッドの他の実施形態を示す説明図である。（実施例５）
【考案を実施するための形態】
【００３３】
本考案にかかる頭部装着具用汗吸収日除けパッド１０は、帽子やヘルメット等の頭部装着具Ｃの内側に装着される汗吸収日除けパッドであって、汗吸収日除けパッドは、高分子吸水ポリマーから成る汗吸着材２０を表層シート体２１で包含して縦に後頭部から頸部まで並びに横に一方の耳介の裏側から他方の耳介の裏側までを覆う所要の長さ・幅を有する略方形のパッド本体１１に成形して成り、該パッド本体１１の表面には頭部装着具Ｃへの装着手段２２が備えられると共に、該パッド本体１１の裏面所定箇所には頭部装着具Ｃに対する装着位置を決定するための一乃至複数の位置決め表記２３が付されて成る手段を採ったことを最大の特徴とする。
以下、本考案にかかる頭部装着具用汗吸収日除けパッド１０の実施形態を、図面に基づいて説明する。
【００３４】
尚、本考案にかかる頭部装着具用汗吸収日除けパッド１０は、以下に述べる実施例に限定されるものではなく、本考案の技術的思想の範囲内、すなわち同一の作用効果を発揮できる形状や寸法等の範囲内で、適宜変更することができる。
【実施例１】
【００３５】
図1は、本考案にかかる頭部装着具用汗吸収日除けパッド１０の実施形態を示す説明図であり、（ａ）は正面図、（ｂ）は側断面図である。また、図２は、本考案にかかる頭部装着具用汗吸収日除けパッド１０の使用態様を示す説明図であり、（ａ）は頭部装着具Ｃが帽子の場合、（ｂ）は頭部装着具Ｃがヘルメットの場合を示している。
本考案にかかる頭部装着具用汗吸収日除けパッド１０は、汗吸着材２０を表層シート体２１で包含して成り、縦に後頭部から頸部まで並びに横に一方の耳介の裏側から他方の耳介の裏側まで耳裏部から首筋を覆う所要の長さ・幅を有する略方形のパッド本体１１に成形される。
【００３６】
パッド本体１１は、縦に後頭部から頸部まで、横に一方の耳介の裏側から他方の耳介の裏側までを覆う形状であって、例えば縦（長さ）略１７ｃｍ、横（幅）略１５．５ｃｍ、厚み略２ｍｍ程度の矩形のハンカチ状に形成され中央部には位置決め表記（センターライン）２３が印され、表面には帽子等の頭部装着具Ｃの内側に装着可能な装着手段２２が備えられている。すなわち、該装着手段２２を介して、パット本体１１の表面を頭部装着具Ｃの内側に装着可能となっており、その状態にてパット本体１１の裏面は、頭部装着具Ｃを着用した人の後頭部や頸部と部分的に当接することとなる。尚、矩形状を為すパッド本体１１の各角部のうち、全て若しくは少なくとも装着手段２２を備える側とは反対の下端側に位置する両角部について、例えば曲形カーブ状を為す様に角を落として成形される態様が望ましい。かかる態様とすることで、着用者の首筋等にパッド本体１１の角部が当接しても、曲形カーブ状であるため角が当たって痛がることなく、且つ、違和感なく使用することが可能である。
【００３７】
該パッド本体１１は、不織布によって形成される表層シート体２１と、ジェルまたは粒子状の高分子吸水ポリマーによって形成される汗吸着材２０とによって構成され、汗吸着材２０が袋状の表層シート体２１に内包されて成形されている。
【００３８】
表層シート体２１は、例えば不織布によって形成される二層構造を備えており、当該不織布の上層は汗を素早く吸収し且つ汗の逆戻りを防止するため、常に乾燥状態に近い肌触り感覚を得ることができるもので、その材質としてはポリオレフィン素材が好適に採用されるが、その他ポリウレタン系の素材でも構わない。また、当該不織布の下層は汗を素早く吸収し且つ多量の水を吸収する役割を持つもので、その材質としてはレーヨンが好適に採用されるが、その他パルプやＰ Ｅ Ｔ、ウレタン等の素材を採用することもできる。
【００３９】
かかる表層シート体２１について、外側に露出する表面と人体側に隠れる裏面とで、夫々異なる材質のものを選択して用いることも可能である。このとき、表層シート体２１の表面について、例えばポリエチレンシート表層にアルミ蒸着が施された銀色シートにより成形されて成る態様が考え得る。すなわち、表層シート体２１の表面に銀色シートを採用することで、外光を遮って熱の吸収を妨げる遮光性並びに断熱性に優れた機能を発揮し得る。尚、表層シート体２１の表面について、かかる銀色シートのほか、機能性や用途を考慮して、白色シートや黒色シート、迷彩柄シートなどから選択される何れかによって成形されて成る態様も考え得る。
【００４０】
汗吸着材２０は、ジェルまたは粒子状の高分子吸水ポリマーによって形成されて成る。具体的には、吸水量(吸水倍率)や吸水速度、保水性、徐放性、増粘性、凝集力、耐塩基性、耐候性などの特性に優れたポリアクリル酸ナトリウムを顆粒状またはゼリー状にした高吸水性高分子素材が使用される。
【００４１】
これら表層シート体２１あるいは汗吸着材２０のいずれか一方若しくは両方には、清涼成分２４を塗布あるいは含浸することが考え得る。すなわち、パッド本体１１が単に汗を吸収するのみならず、当接する人体の後頭部や頸部に対し清涼感を付与することも可能にするもので、該清涼成分２４はメントールやグリセリン、その他エリスリトールやキシリトール等の多糖類を単独で若しくは適宜組み合わせて採用される。
【００４２】
また、前記清涼成分２４と共に、香料２５を塗布あるいは含浸することも考え得る。すなわち、清涼感と併せて芳香作用を付与するものであって、汗の臭いを香料でかき消し、汗の不快な臭いを抑制することができる。尚、塗布あるいは含浸する香料２５については特に限定なく、使用者の好みによって適宜決定すれば足りるものであるが、例えば脳を刺激し運動向上能力や集中力増大能力を増大させるとされるコーヒー豆の香りやミントなどのハーブから成る香料２５が採用される。
【００４３】
装着手段２２は、パッド本体１１に備えられ、具体的には、パッド本体１１における上端辺近傍に備えられるもので、該装着手段２２を介して頭部装着具用汗吸収日除けパッド１０が装着される。かかる装着手段２２の具体的構成については、特に限定するものではなく、例えば頭部装着具Ｃの内側所定箇所に係止可能なフックやボタン等の係止手段や、帯状の粘着テープ２８による貼着手段などが採用可能であり、あるいは、パッド本体１１の上端辺を含め環状を為して着用者の頭部を周回し得るゴム等の弾性材から成る紐体による結束手段なども採用可能である。
【００４４】
尚、かかる装着手段２２については、上記した粘着テープ２８による貼着手段を採用することが望ましい。すなわち、粘着テープ２８は、頭部装着具Ｃの何処にでも貼着することができるもので、帽子やヘルメット、サンバイザーといった人の後頭部に当接する箇所が明確である頭部装着具Ｃだけでなく、それ以外の頭部装着具Ｃ（例えばバンダナや手ぬぐい、ハチマキなど）の任意の箇所にも、粘着テープ２８を介して自在にパッド本体１１を貼着することが可能となり、使用範囲が広がることとなる。
【００４５】
位置決め表記２３は、パッド本体１１の裏面所定箇所に付されるもので、頭部装着具Ｃに対する装着位置を決定するべく、パッド本体１１の裏面において一乃至複数の位置決め表記２３が付されている。尚、図面では、パッド本体１１の裏面における幅方向略中央箇所に一の位置決め表記２３を付した場合について示している。該位置決め表記２３は、頭部装着具Ｃの内側の任意の位置に正確に装着するために設けられる目印であって、その形態はマークや絵柄、織り柄、色彩、切込片など特に限定はない。
【００４６】
かかる位置決め表記２３については、上記の様に少なくともパッド本体１１の幅方向略中央箇所に付されて成ることが望ましい。すなわち、パッド本体１１の中心箇所が判ることによって、頭部装着具Ｃに対する装着位置も容易に決定し得ることとなる。
【００４７】
以上の各構成態様から成る頭部装着具用汗吸収日除けパッド１０は、図１並びに図２に示す様に、パット本体１１の表面に存する装着手段２２を介して、位置決め表記２３を参照しつつ頭部装着具Ｃの内側の後頭部あるいは着用者の後頭部に装着して使用される。その状態にてパット本体１１の裏面は、頭部装着具Ｃを着用した人の後頭部や頸部と部分的に当接することとなり、着用者の後頭部や頸部から出る汗を随時吸収して閉じ込めることができると共に、耳裏から首筋に掛けての頸部の日焼け防止効果と汗の飛散を防止することができる。
【００４８】
以上で構成される本実施形態にかかる頭部装着具用汗吸収日除けパッド１０は、炎天下における運動時や高温下での作業時において、着用者の後頭部や頸部から流れ出る汗を効率的に吸収するだけでなく、どのような帽子やヘルメットなどの頭部装着具Ｃにも容易に着脱ができ、頭部装着具Ｃの内側にワンタッチで貼着することができるため、汗の不快な臭いや頭部の蒸れを効果的に抑制することが可能になる。
【実施例２】
【００４９】
他の実施例について、図３に基づき説明する。実施例１と同様の部分は省略する。本考案にかかる頭部装着具用汗吸収日除けパッド１０において、装着手段２２が帯状の粘着テープ２８による貼着手段であった場合に、パッド本体１１の表面における表層シート体２１と装着手段２２との間で、樹脂フィルム２５を介在させる態様を採用し得る。
【００５０】
樹脂フィルム２５は、ビニールなど樹脂製のフィルム地から成り、パッド本体１１の表面に貼着されて装着手段２２との間に介在される。尚、該樹脂フィルム２５の形状については、特に限定するものではないが、パッド本体１１の表面と装着手段２２との間に介在させるものであることから、少なくとも帯状の装着手段２２と同形状とし、好ましくはパッド本体１１の裏面全体を被覆可能な形状とすることができる。
【００５１】
以上で構成される本実施形態にかかる頭部装着具用汗吸収日除けパッド１０は、樹脂フィルム２５が表層シート体２１から装着手段２２への汗の通過を遮断するため、汗による装着手段２２の装着力（粘着力）の低下を防止できると共に、汗が頭部装着具Ｃへ染み出るのを防止することもでき、さらには、樹脂フィルム２５を介してパッド本体１１への装着手段２２の装備を容易にすると共に、パッド本体１１を頭部装着具Ｃから外す際にも汗で強度の弱まった表層シート体２１の破損を防止可能となる。
【実施例３】
【００５２】
他の実施例について説明する。実施例１と同様の部分は省略する。本考案にかかる頭部装着具用汗吸収日除けパッド１０において、パッド本体１１における表層シート体２１に、銀ナノ粒子２６を担持させる手段を採用し得る。
【００５３】
銀ナノ粒子２６は、ナノ銀、ナノ純銀などと呼ばれ、その構造としては球形が一般的だが、ひし形や薄いシート構造もよく見られる。また表面積が極端に大きいため多くの配位子がナノ粒子に配位することができる。通常粒径１−１００ｎｍの銀のナノ粒子で構成される。さらにイオンを低い濃度で持続的に放出する性質によって、さまざまな細菌に対して抗菌作用を示すことから、抗菌性コーティング剤などに使用されるものである。
【００５４】
かかる銀ナノ粒子２６をパッド本体１１における表層シート体２１に担持させることによって、該銀ナノ粒子２６が有する抗菌作用により汗が細菌と反応することを抑え、これにより汗の臭いの発生を抑制することが可能となる。
【００５５】
以上で構成される本実施形態にかかる頭部装着具用汗吸収日除けパッド１０は、抗菌効果ならびに汗臭防止効果が得られることから、衛生的な頭部装着具Ｃならびに頭部装着具用汗吸収日除けパッド１０の使用に資することとなる。
【実施例４】
【００５６】
他の実施例について、図４に基づき説明する。実施例１と同様の部分は省略する。本考案にかかる頭部装着具用汗吸収日除けパッド１０において、パッド本体１１の裏面にエンボス加工２７を施す態様を採用し得る。
【００５７】
エンボス加工２７は、パッド本体１１の裏面に施されるものであって、プレス加工によって連続する凹凸状に加工される。尚、当該エンボス加工２７による凸部形状については特に限定はなく、図示の様な円形状のほか、四角その他の多角形状や、十字にクロスした形状などが採用し得る。
【００５８】
以上で構成される本実施形態にかかる頭部装着具用汗吸収日除けパッド１０は、パッド本体１１の裏面がエンボス加工２７されることによって、ズレ防止ならびに頭部に常時安定した装着感が得られると共に、多量の汗によっても表層シート体２１が着用者の当接箇所に引っ付くことなく、快適な使用に資することとなる。
【実施例５】
【００５９】
他の実施例について、図５に基づき説明する。実施例１と同様の部分は省略する。実施例１では、頭部装着具用汗吸収日除けパッド１０を頭部装着具Ｃの内側の後頭部に装着して使用される態様について説明した。本実施例では、他の使用例について説明する。
【００６０】
すなわち、着用者の後頭部や頸部を覆うのではなく、頭部全体を覆う様に頭部装着具用汗吸収日除けパッド１０を使用する態様が考え得る。該使用態様は、図５に示す様に、パット本体１１の表面に存する装着手段２２を介して、位置決め表記２３を参照しつつ頭部装着具Ｃの内側の前頭部（額部）に装着して使用される。その状態にてパット本体１１は頭部装着具Ｃ内に収容され、該頭部装着具Ｃを着用した人の前頭部（額部）から頭頂部を超えて後頭部にかけてパット本体１１の裏面が当接することとなり、着用者の頭部から出る汗を随時吸収して閉じ込めることが可能となる。
【００６１】
以上で構成される本実施形態にかかる頭部装着具用汗吸収日除けパッド１０は、炎天下における運動時や高温下での作業時において、着用者の頭部から噴き出る汗を効率的に吸収することができ、しかも如何なる帽子やヘルメットなどの頭部装着具Ｃにも容易に着脱ができ、頭部装着具Ｃの内側にワンタッチで貼着することができるため、汗の不快な臭いや頭部の蒸れを効果的に抑制することが可能になる。
【産業上の利用可能性】
【００６２】
本考案にかかる頭部装着具用汗吸収日除けパッドは、炎天下における運動時や高温下での作業時において、着用者の後頭部や頸部から流れ出る汗を効率的に吸収するだけでなく、どのような帽子やヘルメットなどの頭部装着具にも容易に着脱可能であり、頭部装着具の内側にワンタッチで貼着することができるため、汗の不快な臭いや頭部の蒸れを容易に抑制することができると共に、耳裏から首筋に掛けての頸部の日焼け防止効果と汗の飛散を防止することが可能となるものである。したがって、本考案にかかる「頭部装着具用汗吸収日除けパッド」の産業上の利用可能性は極めて大であるものと思料する。
【符号の説明】
【００６３】
１０    頭部装着具用汗吸収日除けパッド
１１    パッド本体
２０    汗吸着材
２１    表層シート体
２２    装着手段
２３    位置決め表記
２５    樹脂フィルム
２７    エンボス加工
２８    粘着テープ
Ｃ    頭部装着具
【図１】
0003218311.tif 000003
【図２】
0003218311.tif 000004
【図３】
0003218311.tif 000005
【図４】
0003218311.tif 000006
【図５】
0003218311.tif 000007